(57)【要約】【課題】毛束を指で挟んで引っ張ったときに、とかした毛束が乱れたりするのを防止することができる保持具を提供する。【解決手段】固定部材１は、人差し指と中指とを覆う被覆部１ａ、１ｂと、この被覆部１ａ、１ｂを手首側に固定するための連結部１ｃとを備えている。被覆部１ａと被覆部１ｂのそれぞれの対向側に、ブラシ部材２ａ、２ｂを備えている。上記ブラシ部材２ａ、２ｂは複数の毛部３を備え、この毛部３はパイル生地のように毛先をループ状にしている。この毛部３の素材としては摩擦抵抗の少ない樹脂を用いている。【選択図】　図１
2004033407.tif 000002
【特許請求の範囲】
【請求項１】
弾性を有する複数の毛部を備えたブラシ部材と、ブラシ部材を手の指に固定する固定部材とを備え、上記ブラシ部材は、隣り合う指の少なくともいずれか一方の対向面に設けたブラシ付髪の毛保持具。
【請求項２】
固定部材は、少なくとも人差し指と中指とに固定され、上記少なくとも人差し指あるいは中指のいずれか一方の固定部材にブラシ部材を備えた請求項１記載のブラシ付髪の毛保持具。
【請求項３】
ブラシ部材は、弾性部材を介して固定部材に固定した請求項１または２記載のブラシ付髪の毛保持具。
【請求項４】
人差し指と中指との対向面にブラシ部材をそれぞれ備え、一方のブラシ部材の毛部の長さは、他方のブラシ部材の毛部の長さよりも短くした請求項１〜３のいずれか１記載のブラシ付髪の毛保持具。
【発明の詳細な説明】
【０００１】
【発明の属する技術分野】
この発明は、例えば美容師が客の髪をカットするときに用いるのに最適なブラシ付髪の毛保持具に関する。
【０００２】
【従来の技術】
美容師が客の髪をカットする場合、髪の毛を適当な量の毛束に分けるとともに、その毛束をコームで何度もとかして、毛束を構成する髪の毛の一本一本を真っ直ぐにする。このように髪の毛の一本一本を真っ直ぐにすることによって、毛束を構成する髪の毛の毛先を整えることができる。
【０００３】
毛先をきれいに整えたら、図６に示すように、ハサミを持つ手とは反対の手の人差し指と中指とでこの毛束の根本に近い部分を挟み持つ。そして、毛束を引っ張るようにして、毛束を挟んだ指をカットする目安となるところまで移動させるが、このとき一定のテンションを作用させながら毛束を引っ張る。
このように毛束を引っ張るのは、コームで何回もとかして整えた毛束の毛先が乱れないようにするためである。もし、毛先が乱れてしまうと、毛束を構成する一本一本の髪の毛の根本からカット位置までの長さがバラバラになってしまう。このように長さがバラバラになったままカットすれば、当然のこととしてカット後も長さがバラバラになる。髪の毛の長さがバラバラだと、髪の毛のセットもしにくいし、髪の毛が少し伸びただけで、すぐにだらしなく伸びた感じを与えるようになる。
【０００４】
また、上記のように毛束を挟んだ指をカットする目安になるところまで移動させるのは、なるべくカットに近い位置をつまんで、カットしている最中にも毛先がばらつかないようにするとともに、指を定規代わりに使って、毛束を斜めにカットしないようにするためである。
【０００５】
また、パーマをかける場合にも、上記のように毛束をコームで何回もとかして毛束が乱れないようにする。パーマをかけるときに、毛束が乱れてしまうと、それこそウエーブを付けた位置が一本一本の髪の毛によって異なってしまう。言い換えると、髪の毛一本一本に均一なパーマがかけられなくなる。
【０００６】
したがって、美容師は、パーマをかける場合でも、カットをする場合でも、毛束がきれいに整うように、何度もとかした毛束が乱れないように、細心の注意を払いながら指を毛先に移動させるようにしている。
【０００７】
【発明が解決しようとする課題】
しかし、人間の指は節などがあるので、まっすぐにはならず、凹凸ができる。そのために指で挟んで毛束を引っ張ったとき、どうしても毛束に作用するテンションが指の凹凸に応じて異なってしまう。毛束に作用するテンションが場所によって異なると、しっかりと引っ張られる髪と、あまり引っ張られない髪とがでてくる。
したがって、せっかくコームで毛束を整えても、指で挟んで引っ張ったときにこれが乱れてしまう可能性がある。このように引っ張る強さが異なると、毛束をカットしたときには、その長さがばらばらになってしまう。
【０００８】
また、指で毛束を挟んで、これを引っ張ったとき、髪の毛同士がすべったり、髪が指の間ですべったりして、挟んだ髪の毛が左右にぶれて、せっかくとかした髪が乱れてしまうこともあった。このように髪の毛が左右にぶれて乱れた状態でカットしたときにも、その長さにばらつきがでてしまう。
【０００９】
特に、男性のように指の関節が太い人の場合には、人差し指と中指とを注意深くくっつけるようにしても、指と指との間にすき間ができてしまう。人差し指と中指との間にすき間ができてしまうと、これらの間で毛束を挟んで、引っ張ったとき、この毛束のテンションが一定にならないばかりか、すき間から髪の毛が落ちてしまうという問題があった。
【００１０】
いずれにしても、毛束をつまんで毛先を整えることは、美容師の技能を十分に発揮する上で非常に重要な要素であるが、節がある人間の指の特性から、それを均一につまむことがかなり高度な技術を要するというのが現実であった。また、指が極端に曲がっていたり、あるいは節が太かったりする人は、人一倍の苦労を強いられるのが実状であった。
この発明の目的は、毛束を指で挟んで引っ張ったときに、とかした毛束が乱れたりするのを防止することができる保持具を提供することである。
【００１１】
【課題を解決するための手段】
第１の発明は、弾性を有する複数の毛部を備えたブラシ部材と、ブラシ部材を手の指に固定する固定部材とを備え、上記ブラシ部材は、隣り合う指の少なくともいずれか一方の対向面に設けたことを特徴とする。
第２の発明の固定部材は、少なくとも人差し指と中指とに固定され、上記少なくとも人差し指あるいは中指のいずれか一方の固定部材にブラシ部材を備えたことを特徴とする。
【００１２】
第３の発明のブラシ部材は、弾性部材を介して固定部材に固定したを特徴とする。
第４の発明の人差し指と中指との対向面にブラシ部材をそれぞれ備え、一方のブラシ部材の毛部の長さは、他方のブラシ部材の毛部の長さよりも短くしたことを特徴とする。
【００１３】
【発明の実施の形態】
図１はこの発明の第１実施形態を示したものである。この第１実施形態では左手の指で毛束を挟み、右手でハサミをもって毛束をカットする場合について説明する。
図示したように伸縮性を有する皮革製の固定部材１を左手にはめるが、この固定部材１は、人差し指と中指とを覆う被覆部１ａ、１ｂと、この被覆部１ａ、１ｂを手首側に固定するための連結部１ｃとを備えている。上記連結部１ｃは、これを手首に巻いて固定部材１全体を左手に固定するためのものである。
【００１４】
上記被覆部１ａと被覆部１ｂのそれぞれの対向側に、ブラシ部材２ａ、２ｂを備えている。このブラシ部材２ａ、２ｂは同じものなので、一方のブラシ部材２ａを例に採り、この拡大図を図２に示して説明する。
図２に示したように、上記ブラシ部材２ａ、２ｂは複数の毛部３を備えるようにしているが、この毛部３は図２に示したように、パイル生地のように毛先をループ状にしている。さらに、この複数の毛部３は一列に並んでいるのではなく、複数行に亘って設けている。また、上記毛部３は弾性を有し、これらが一本一本起立するようにしている。さらに、この毛部３の素材としては摩擦抵抗の少ない樹脂を用いている。
【００１５】
上記のような第１実施形態において、毛束をとってこれをコーム等でとかしたら、上記固定部材１をはめた手の人差し指と中指とで毛束を挟む。すなわち、上記ブラシ部材２ａとブラシ部材２ｂとの間に毛束の根本側を挟む。そして、これを挟んだまま手を手前に引く。
このとき、上記被覆部１ａ、１ｂとブラシ部材２ａ、２ｂとの弾性によって、人差し指と中指との凹凸が緩衝される。したがって、上記毛束を挟んでこれを引っ張ったとき、毛束に均一のテンションが作用する。テンションが均一になるので、せっかく整えた毛束が乱れたりすることがない。
また、たとえ関節が太い人であっても、指と指との間にすき間ができないので、髪の毛がすき間から落ちたりするのを防止することができる。
【００１６】
さらに、上記毛束をブラシ部材２ａ、２ｂで挟むことによって、髪が毛部３の間で支持される。このように毛部３の間で髪が支持されたまま、手を手前に引くことによって、複数の毛部３によってこの毛束をとかすことができる。したがって、毛部３がない状態で、毛束を単に引っ張るときに比べて、より確実に毛束を整えることができる。
また、上記毛部３によって、毛束をとかすことができるので、コームで毛束をとかしたときに、多少の乱れがあったとしても、これを整えることができる。したがって、ちょっとの乱れのために何回もコームでとかし直すといった手間を省くことができ、その分、作業効率を向上させることができる。
【００１７】
さらに、指の長さ方向に対して複数の毛部３が並び、これら毛部３の間で髪を支持しているので、髪が左右方向にすべってしまうのを防止することができる。髪が左右方向にすべらないので、これをカットしたときに、髪の長さがばらばらになってしまうことがない。
【００１８】
しかも、左手の人差し指と中指とで毛束をとかしたら、挟んだままの状態でカットすることができる。したがって、作業をスムーズにおこなうことができる。また、パーマをかける場合には、挟んだままの毛束にカールを沿わせて、これを巻いたり、アイロンで挟んだりすることができる。
【００１９】
また、固定部材１全体が伸縮性を有するので、これをはめた場合でも、手になじみやすく、しかも手の動きを規制されることがない。したがって、固定部材１をはめても楽に作業をすることができる。
さらに、毛部３が弾性を有するので、より一層楽に作業をすることができる。
【００２０】
また、上記毛部３の先端をループ状にしたので、この毛部３の先端によって髪を痛めるということを防止できるとともに、髪が毛部３に絡まるのを防ぐこともできる。さらに、この毛部３は弾性を有するので、より一層髪を痛めにくくなる。
また、上記毛部３が弾性を有することによって、毛束を挟んだときの毛量の感覚や、毛束を手前に引っ張ったときの毛束のテンションの感覚などが、指に伝わりやすい。したがって、美容師は上記指先の感覚を損なうことなく毛束の処理をすることができる。
【００２１】
また、上記毛部３は摩擦抵抗が少ない素材を用いているので、この毛部３に髪が絡まってしまうことがない。
さらに、被覆部１ａ、１ｂを手首側に固定するための連結部１ｃを備え、この連結部１ｃを手首に巻いて、固定部材１全体を左手に固定するようにしているので、被覆部１ａ、１ｂが指から外れてしまうことがない。
【００２２】
なお、この第１実施形態において、被覆部１ａ、１ｂで人差し指と中指とを覆うようにしているが、他の指も被覆部で覆うようにしてもよい。また、被覆部すべてにブラシ部材２ａあるいは２ｂを備える必要はなく、他の薬指や小指などをブラシ部材２ａあるいは２ｂのついていない被覆部で覆ってもよい。
【００２３】
図３，４は第２実施形態を示した図である。図示したように、指サック状にした固定部材４ａ、４ｂを備え、これらをそれぞれ中指と人差し指にはめることができるようにしている。この固定部材４ａ、４ｂには、伸縮性を有する樹脂を用いるとともに、防水性および耐薬剤性を備えるようにしている。
【００２４】
上記固定部材４ａ、４ｂにはブラシ部材５ａ、５ｂを設けている。上記一方のブラシ部材５ａには、第１実施形態と同様の毛部３を備え、他方のブラシ部材５ｂには、図４に示したような毛部６を備えるようにしている。この毛部６は、弾性を有するとともに、その先端が細くなっていて、第１実施形態のようなループ状にはなっていない。
また、この毛部６の長さは第１実施形態の毛部３よりも長くしている。
【００２５】
この第２実施形態において、上記ブラシ部材５ａ、５ｂを対向させるようにして、固定部材４ａと固定部材４ｂとを人差し指と中指にはめる。このように固定部材４ａ、４ｂを指にはめたとき、固定部材４ａ、４ｂ自身の伸縮性によって指にフィットし、指から抜けないようにしている。そして、これら対向したブラシ部材５ａ、５ｂの間に毛束を挟んでこの毛束を引っ張ることは、第１実施形態と同様である。
【００２６】
上記第２実施形態では、固定部材４ａ、４ｂに防水性および耐薬剤を備えることとしているので、特にパーマをかける場合に適している。それは、パーマをかける場合には、髪にパーマ液と呼ばれる薬剤を塗ることが多く、防水性および耐薬剤のない固定部材を使用した場合には、この固定部材の劣化が進んでしまうからである。
【００２７】
また、上記毛部６の先端が尖っているので、この毛部６の間に髪の毛が入りやすくなる。しかも、この毛部６は毛部３に比べてその長さを長くしているので、この毛部６に髪が絡みつきやすい。
上記のように、髪が毛部６の間に入りやすく、しかもこの髪が毛部６に髪が絡みつきやすいので、この髪をより強い力で引っ張ることができる。強い力で引っ張ることができるので、この髪には高いテンションを維持することができる。
【００２８】
さらに、上記毛部６の間に髪が入り易くなり、しかも、この毛部６を長くすることによって、より一層髪が左右にぶれるのを防止することもできる。髪が左右にぶれないので、まっすぐに整った状態の髪を維持することができる。
【００２９】
また、毛部３の長さを毛部６の長さよりも短くしたので、手の疲労を抑えることができる。もし、毛部３の長さを長くしたら、人差し指と中指とを大きく広げて毛束を挟まなければならないので、非常に手がつかれる。これに対して、一方の毛部３を短くしているので、指をそんなに広げなくても毛束を挟むことができる。したがって、上記毛部３の長さを短くすることによって、手の疲労を抑えることができるのである。
また、毛部３，６の弾性によって、人差し指と中指とにすき間を形成しにくくする等の効果は第１実施形態と同様である。
【００３０】
図５は第３実施形態を示したものである。この実施形態では、２本のベルト７ａ、７ｂを備え、ブラシ部材８ａ、８ｂを、弾性部材９を介してベルト７ａ、７ｂに固定するようにしている。
上記のようなベルト７ａおよび７ｂを人差し指および中指に巻き付け、上記ブラシ部材８ａ、８ｂを指に固定する。
上記ブラシ部材８ａ、８ｂは第１実施形態と同様のものを用いている。すなわち、弾性を有するブラシ部材８ａ、８ｂに複数の弾性を有するループ状の毛部３を備えている。
なお、上記ベルト７ａ、７ｂによって、この発明でいう固定部材を構成する。
【００３１】
上記第３実施形態では、２本のベルト７ａ、７ｂでブラシ部材８ａ、８ｂを備えた弾性部材９を人差し指と中指とに固定するようにしている。このようにブラシ部材８ａ、８ｂを、弾性部材９を介して上記各指に固定するようにしているので、ブラシ部材８ａ、８ｂは弾性部材９の剛性によってその形状がほぼまっすぐに保たれる。
【００３２】
上記のように、ブラシ部材８ａ、８ｂは指の形状に関係なく、ほぼまっすぐに保たれるので、このブラシ部材８ａおよび８ｂで毛束を挟んだとき、この毛束を均一の力で保持することができる。均一の力で毛束を保持するので、これを引っ張ったときには均一のテンションを負荷することができる。
したがって、コーム等で整えた毛束を乱してしまうことなく、指を毛先の方に移動させることができる。
【００３３】
また、上記ブラシ部材８ａ、８ｂを２本のベルト７ａ、７ｂで支持するようにしているので、より一層、上記ブラシ部材８ａ、８ｂの直線性を維持することができる。しかも、上記ブラシ部材８ａ、８ｂをベルト７ａ、７ｂの２点で指に固定するようにしているので、指全体を固定部材で覆う場合よりも、指の自由度を高くすることができる。したがって、上記ブラシ部材８ａ、８ｂを指に装着しても、より細かいカットテクニックやパーマテクニックを使用することができる。
【００３４】
なお、上記弾性部材９は、用途に応じて剛性の異なるものを用いるとよい。すなわち、カットの場合には、手を素早く動かさなければならないので、弾性部材９の剛性を小さくして、あまり手に負荷をかけないようにするとよい。また、パーマの場合にはそんなに早く手を動かす必要がないので、剛性を大きくしてしっかりと髪をとかすことができるようにするとよい。
【００３５】
なお、上記第１〜第３実施形態において、人差し指と中指の固定部材の両方にブラシ部材を備えるようにしているが、いずれか一方の固定部材にブラシ部材を備えるようにしてもよい。
また、ブラシ部材を備えるのは、人差し指あるいは中指に限ったものではない。要するに、毛束を挟む指の少なくてもいずれか一方にブラシ部材を備え、このブラシ部材で上記毛束をとかすことができればよい。また、この毛部は指の長さ方向に一列に整列してもよいし、整列しないでランダムに設けてもよい。
【００３６】
さらに、固定部材とブラシ部材との組み合わせは、上記実施形態の組み合わせに限ったものではない。例えば、第１実施形態の固定部材１に第２実施形態のブラシ部材５ａ、５ｂを備えるようにしてもよいし、第２実施形態の固定部材４ａ、４ｂに第１実施形態のブラシ部材２ａ、２ｂを備えるようにしてもよい。
また、第１実施形態のブラシ部材２ａ、２ｂおよび第２実施形態のブラシ部材５ａ、５ｂに、弾性部材９を備えるようにしてもよい。
【００３７】
また、上記実施形態において、美容師が髪をカットしたりパーマをかけたりする場合について説明しているが、美容師ではない一般人が自分で髪を揃える場合や、美容学校で勉強中の学生が試験や授業で用いる場合にも、このブラシ付髪の毛保持具を使用できる。いずれの場合にも、髪を毛束に分けて、簡単にこれをきれいに整えながら引っ張ることができる。したがって、自分でカットしたり、学生がカットしたりした場合でも失敗が少なく、きれいにカットすることができる。
【００３８】
【発明の効果】
第１の発明によれば、弾性を有する複数の毛部を備えたブラシ部材を隣り合う指の対向面に備え、上記隣り合う２本の指の間で髪を保持するので、上記毛部の弾性によって、隣り合う指と指との間にすき間ができるのを防止することができる。したがって、毛束が乱れるのを防止できる。
また、上記ブラシ部材で髪をとかすことができるので、毛束を整えることができるとともに、上記ブラシ部材で髪が左右にぶれるのを防ぐことができる。したがって、髪をカットした場合、すべて同じ長さに揃えることができる。
【００３９】
第２の発明によれば、少なくとも人差し指あるいは中指のいずれか一方の固定部材にブラシ部材を備えることとしたので、毛束を容易に挟むことができ、作業性を向上させることができる。
【００４０】
第３の発明によれば、ブラシ部材は、弾性部材を介して固定部材に固定することとしたので、この弾性部材によって、ブラシ部材をほぼまっすぐに保つことができる。ブラシ部材をまっすぐに保つことができるので、より一層指と指との間にすき間ができるのを防止することができる。
【００４１】
第４の発明によれば、一方のブラシ部材の毛部の長さを短くして、他方のブラシ部材の毛部の長さを長くしたので、この長い方の毛部で髪をしっかりととかすことができる。しかも、一方を短くして、他方を長くすることによって、両方長いときとよりも操作性を向上させることができる。
【図面の簡単な説明】
【図１】第１実施形態の斜視図である。
【図２】第１実施形態のブラシ部材の拡大図である。
【図３】第２実施形態の斜視図である。
【図４】第２実施形態のブラシ部材の拡大図である。
【図５】第３実施形態の斜視図である。
【図６】髪を指で挟んだときの全体概要図である。
【符号の説明】
１　　　固定部材
１ａ　　被覆部
１ｂ　　被覆部
２ａ　　ブラシ部材
２ｂ　　ブラシ部材
３　　　毛部
４ａ　　固定部材
４ｂ　　固定部材
５ａ　　ブラシ部材
５ｂ　　ブラシ部材
６　　　毛部
７　　　固定部材
７ａ　　ベルト
７ｂ　　ベルト
８ａ　　ブラシ部材
８ｂ　　ブラシ部材
９　　　弾性部材
【図１】
2004033407.tif 000003
【図２】
2004033407.tif 000004
【図３】
2004033407.tif 000005
【図４】
2004033407.tif 000006
【図５】
2004033407.tif 000007
【図６】
2004033407.tif 000008